(57)【特許請求の範囲】
【請求項１】
把持自在な延伸メンバの一部分を封入し保持するためのホルダ装置であって、
ベース（３６）と２つの側壁（３８）とを備える取付ブラケット（２０）と、
共通軸のまわりで互いに部分的に回転可能な一対のサイドフラップ部（１４、１６）と、を有し、
前記サイドフラップ部（１４、１６）は、延伸メンバに適合させるための破断部（３２）を一端に備え、閉じられた状態において囲繞されたチャンバを形成し、
前記サイドフラップ部（１４、１６）は、前記取付ブラケット（２０）の上に、前記サイドフラップ部（１４、１６）のベースプレート（３０）の外側部分に備えるリブ（１９）によって、前記サイドフラップ部（１４、１６）の前記ベースプレート（３０）が前記側壁（３８）のエッジのそれぞれのまわりで回動自在なように、取り付けられ、
前記サイドフラップ部（１４、１６）の各々の前記ベースプレート（３０）は、少なくとも２つの爪部（４４）を含み、前記爪部（４４）は、前記サイドフラップ部（１４、１６）がともに組み立てられたときに当該サイドフラップ部（１４、１６）の部分的な回転を許容し、前記共通軸は、前記サイドフラップ部（１４、１６）の前記爪部（４４）が組み合ってなる軸であり、
前記サイドフラップ部（１４、１６）を開いた状態から閉じる際には、前記把持自在な延伸メンバから前記サイドフラップ部（１４、１６）のベースプレート（３０）上に力が加えられ、あるいは、前記サイドフラップ部（１４、１６）のいずれか一方または両方に前記共通軸に対して直交する方向に力が加えられ、
前記サイドフラップ部（１４、１６）を閉じた状態から開く際には、前記サイドフラップ部（１４、１６）は、前記共通軸から離れ去る前記延伸メンバの移動によって生じる力によって互いに部分的に回転させられてなるホルダ装置。
【請求項２】
前記爪部（４４）は、前記サイドフラップ部（１４、１６）が前記共通軸に沿って移動することを防止することを特徴とする請求項１に記載のホルダ装置。
【請求項３】
前記爪部（４４）は、前記サイドフラップ部（１４、１６）の前記ベースプレート（３０）の下部に配置され、前記サイドフラップ部（１４、１６）のうちの一方の前記サイドフラップ部における前記爪部（４４）は、前記サイドフラップ部（１４、１６）が閉じられた状態において、前記サイドフラップ部（１４、１６）のうちの他方の前記サイドフラップ部における前記ベースプレート（３０）の下部に向けて延びていることを特徴とする請求項１または請求項２に記載のホルダ装置。
【請求項４】
前記サイドフラップ部（１４、１６）は、前記延伸メンバを保持するシャフト部（３４）を含んでいることを特徴とする請求項１に記載のホルダ装置。
【請求項５】
前記サイドフラップ部（１４、１６）のそれぞれの前記破断部（３２）は、当該サイドフラップ部（１４、１６）が閉じられた状態において窓部を形成することを特徴とする請求項１に記載のホルダ装置。
【請求項６】
前記把持自在な延伸メンバには、歯ブラシ、ひげ剃り、テーブルフォーク、テーブルスプーン、テーブルナイフ、台所はさみが含まれていることを特徴とする請求項１〜請求項５のいずれか一つに記載のホルダ装置。
【請求項７】
前記把持自在な延伸メンバがいかなる方向においても収容されるようにしたことを特徴とする請求項１〜請求項５のいずれか一つに記載のホルダ装置。
【発明の詳細な説明】
【０００１】
【発明の属する技術分野】
本発明は、歯ブラシ、テーブルナイフ、フォークおよびスプーンなどのためのホルダ装置に関する。特に、本発明は、歯ブラシ、フォーク、ナイフおよびスプーンのような延伸メンバの一部分を保持および保護するためのホルダ装置に関する。さらに詳しくは、本発明は、歯ブラシ、フォーク、ナイフおよびスプーンのような延伸メンバの一部分を、家蝿や他の害虫などの虫にさらされることから保護するためのホルダ装置に関する。
【０００２】
【従来の技術および発明が解決しようとする課題】
歯ブラシ、ナイフ、スプーンおよびフォークなどが、これらを使用した後に、トレー、棚あるいは引き出しなどの上に、置きっ放しにされていることがよくある。特に、歯ブラシは、しばしばバスルームの棚の上に置きっ放しにされたり、バスルームのトレーにおけるスロットからぶら下げられたりしている。同様に、ナイフ、スプーン、フォークなどは、トレーの中や、スロットを備えるように特別にデザインされた棚の上に収容されている。そのような家庭用品は、ゴキブリなどの虫の家庭害虫にさらされることになる。ゴキブリは、特に夜に、歯ブラシ、ナイフ、フォークおよびスプーンの上を這い回って、その家庭用品を汚すことになる。
【０００３】
したがって、本発明の目的は、歯ブラシ、ナイフ、フォークおよびスプーンのような細長い家庭用品のための容器を提供することにある。
【０００４】
本発明の他の目的は、歯ブラシのハンドル部分を露出させる一方、歯ブラシのブラシ部分を封入する歯ブラシ用容器を提供することにある。
【０００５】
【発明の概要】
把持自在な延伸メンバの一部分を封入し保持するためのホルダ装置であって、ベースと２つの側壁とを備える取付ブラケットと、共通軸のまわりで部分的に回転可能な一対のサイドフラップ部と、を有する。サイドフラップ部は、延伸メンバに適合させるための破断部を一端に備え、閉じられた状態において囲繞されたチャンバを形成する。サイドフラップ部は、取付ブラケットの上に取付自在である。側壁のエッジは、サイドフラップ部の底部に対して回動自在である。サイドフラップ部を開いた状態から閉じる際には、把持自在な延伸メンバからサイドフラップ部のベース上に力が加えられ、あるいは、サイドフラップ部のいずれか一方または両方に共通軸に対して直交する方向に力が加えられる。サイドフラップ部を閉じた状態から開く際には、サイドフラップ部は、共通軸から離れ去る延伸メンバの移動によって部分的に回転させられる。
【０００６】
サイドフラップ部の各々のベースは、少なくとも２つの爪部を含んでいる。爪部は、サイドフラップ部がともにアセンブリされるときに当該サイドフラップ部の部分的な回転を許容する一方、サイドフラップ部が共通軸に沿って移動することを防止する。爪部は、サイドフラップ部のベースの下部に配置され、共通軸に対して直交する実質的に水平な方向に延びている。サイドフラップ部は、延伸メンバを保持するシャフト部を含んでいる。ベースは、外側部分に、取付ブラケットに対して回動自在なリブを含んでいる。
【０００７】
サイドフラップ部のそれぞれの破断部は、当該サイドフラップ部が閉じられた状態において窓部を形成する。把持自在な延伸メンバには、歯ブラシ、ひげ剃り、テーブルフォーク、テーブルスプーン、テーブルナイフ、台所はさみが含まれている。
【０００８】
【課題を解決するための手段】
本発明の目的は、下記する手段により達成される。
【０００９】
（１）把持自在な延伸メンバの一部分を封入し保持するためのホルダ装置であって、
ベースと２つの側壁とを備える取付ブラケットと、
共通軸のまわりで互いに部分的に回転可能な一対のサイドフラップ部と、を有し、
前記サイドフラップ部は、延伸メンバに適合させるための破断部を一端に備え、閉じられた状態において囲繞されたチャンバを形成し、
前記サイドフラップ部は、前記取付ブラケットの上に、前記サイドフラップ部のベースプレートの外側部分に備えるリブによって、前記サイドフラップ部の前記ベースプレートが前記側壁のエッジのそれぞれのまわりで回動自在なように、取り付けられ、
前記サイドフラップ部の各々の前記ベースプレートは、少なくとも２つの爪部を含み、前記爪部は、前記サイドフラップ部がともに組み立てられたときに当該サイドフラップ部の部分的な回転を許容し、前記共通軸は、前記サイドフラップ部の前記爪部が組み合ってなる軸であり、
前記サイドフラップ部を開いた状態から閉じる際には、前記把持自在な延伸メンバから前記サイドフラップ部のベースプレート上に力が加えられ、あるいは、前記サイドフラップ部のいずれか一方または両方に前記共通軸に対して直交する方向に力が加えられ、
前記サイドフラップ部を閉じた状態から開く際には、前記サイドフラップ部は、前記共通軸から離れ去る前記延伸メンバの移動によって生じる力によって互いに部分的に回転させられてなるホルダ装置である。
【００１０】
（２）前記爪部は、前記サイドフラップ部が前記共通軸に沿って移動することを防止することを特徴とする上記（１）に記載のホルダ装置である。
【００１１】
（３）前記爪部は、前記サイドフラップ部の前記ベースプレートの下部に配置され、前記サイドフラップ部のうちの一方の前記サイドフラップ部における前記爪部は、前記サイドフラップ部が閉じられた状態において、前記サイドフラップ部のうちの他方の前記サイドフラップ部における前記ベースプレートの下部に向けて延びていることを特徴とする上記（１）または上記（２）に記載のホルダ装置。
【００１２】
（４）前記サイドフラップ部は、前記延伸メンバを保持するシャフト部を含んでいることを特徴とする上記（１）に記載のホルダ装置である。
【００１４】
（５）前記サイドフラップ部のそれぞれの前記破断部は、当該サイドフラップ部が閉じられた状態において窓部を形成することを特徴とする上記（１）に記載のホルダ装置である。
【００１５】
（６）前記把持自在な延伸メンバには、歯ブラシ、ひげ剃り、テーブルフォーク、テーブルスプーン、テーブルナイフ、台所はさみが含まれていることを特徴とする上記（１）〜（５）のいずれか一つに記載のホルダ装置である。
【００１６】
（７）前記把持自在な延伸メンバがいかなる方向においても収容されるようにしたことを特徴とする上記（１）〜（５）のいずれか一つに記載のホルダ装置である。
【００１７】
【発明の実施の形態】
以下、本発明の実施形態を図面を参照しつつ説明する。
【００１８】
図１は、本発明の実施形態に係るホルダ装置を、開いた状態で、歯ブラシと共に示す斜視図、図２は、図１に示されるホルダ装置を、歯ブラシのブラシ部分が収容され閉じられた状態で示す斜視図、図３は、歯ブラシのブラシ部分を取り出すときのホルダ装置を示す斜視図、図４は、両サイドフラップ部および取付ブラケットを示す分解斜視図、図５は、サイドフラップ部の構造を示す分解斜視図、図６は、取付ブラケットの構造を示す分解斜視図、図７は、ホルダ装置を、開いた状態で示す斜視図である。
【００１９】
図１、２、３および４を参照して、歯ブラシ１２用のホルダ装置１０が示される。本実施態様では、ホルダ装置１０は、分離自在な２つのサイドフラップ部１４、１６、多数の爪部４４および取付ブラケット２０を備えている。
【００２０】
図５にも示すように、各々のサイドフラップ部１４、１６は、実質的に他方の対称形状をなしている。符号「１４」によって示されるサイドフラップ部は、詳細に後述される。符号「１６」によって別されるサイドフラップ部の構造は、サイドフラップ部１４と一致ないし対応しており、サイドフラップ部１４で使用される符号に符号「’」を付して示している。
【００２１】
図５にも示すように、サイドフラップ部１４は４つの面から構成され、それらの４つの面は、一体的に接続されている。サイドフラップ部１４、１６のサイドプレート２２、２２’には、使用中におけるホルダ装置１０の内部の通気を容易にする多数の小さい窓部２４、２４’が設けられている。
【００２２】
サイドフラップ部１４、１６が閉じられた状態（図２）にあるときに、完全に取り囲まれた略円錘形状を形成するために、上部プレート２６、２６’、フロントプレート２８、２８’およびベースプレート３０、３０’（ベース）は、サイドプレート２２、２２’と一体化され、寸法が定められ、構成されている。図５に示すように、サイドフラップ部１４、１６のベースプレート３０、３０’は、歯ブラシ１２のハンドルを収容する破断部３２、３２’と、サイドフラップ部１４、１６の開放を可能にする摩擦点表面１７とを含んでいる。
【００２３】
破断部３２、３２’のサイズは、歯ブラシのハンドルの部分を収容し得る大きさに設定されている。ハンドルの部分を保持するシャフト部３４、３４’が、各々のサイドフラップ部１４、１６に備えられ、かつ、両方のサイドフラップ部１４、１６が閉じた状態にあるときに、当該シャフト部３４、３４’が直ちに相互に隣り合うように配置されている。
【００２４】
取付ブラケット２０は、図６にも示すように、ベース３６および２つの側壁３８を含んでいる。取付ブラケット２０の側壁３８のエッジは、サイドフラップ部１４、１６の底部に対して回動自在となっている。ベース３６は、取付ブラケット２０の末端部で、取り付け手段４２が取り付けられる２つのスロット４０を含んでいる。
【００２５】
各々のサイドフラップ部１４、１６のベースプレート３０は、図５にも示すように、多数の爪部４４を含んでいる。爪部４４の機能は、サイドフラップ部１４、１６がともにアセンブリされたときに、これらサイドフラップ部１４、１６の部分的な回転を許容することである。但し、爪部４４により、サイドフラップ部１４、１６が共通軸に沿って移動することが防止されている。爪部４４は、図５に示すように、サイドフラップ部１４、１６のベースプレート３０の下部に配置され、共通軸に対して直交する実質的に水平な方向に延びている。ベースプレート３０は、外側部分に、取付ブラケット２０に対して回動自在なリブ１９を含んでいる。
【００２６】
ホルダ装置１０の作用およびホルダ装置１０の上述していない他の特徴を説明する。
【００２７】
ホルダ装置１０は、適切な手段によって鉛直面に固定される。ベースプレート３０の底面は、ピボット上に載置することができ、あるいは受取面に接着剤で接着することができる。あるいは、ベースプレート３０の底面は、図示しないネジやくぎ手段によって受取面に固定することができる。歯ブラシ１２を収容することなくホルダ装置１０が閉じられた場合には、両手でサイドフラップ部１４、１６を引っ張って開く。
【００２８】
開いた状態では、図７に示すように、サイドフラップ部１４、１６は、ホルダ装置１０の垂直軸面からある角度で傾けられる。さらなる下方へのいかなる動きもベースプレート３０で多数の爪部４４によって抵抗されるため、サイドフラップ部１４、１６をさらに傾けることはできない。
【００２９】
図１に示すように、歯ブラシ１２のブラシ部分の堅固なプラスチックパーツ４６は、ホルダ装置１０に差し込まれる。堅固なプラスチックのパーツ４６がベースプレート３０で多数の爪部４４に対して下向きに押されるので、多数の爪部４４が下向きに動き、同時に、サイドフラップ部１４、１６は、多数の爪部４４のカム運動によって、図２に示すように、閉じられた状態におけるホルダ装置１０の垂直軸面に向けて動くことになる。この閉じられた状態では、ブラシ部分がホルダ装置１０によって包まれ封止される。歯ブラシ１２のハンドル部分がホルダ装置１０から垂直にぶらさげられることがわかるであろう。
【００３０】
図３に示すように、ホルダ装置１０から歯ブラシ１２を取り出すために、歯ブラシ１２はホルダ装置１０の共通軸から離れ去るように除去される。歯ブラシ１２の堅固なプラスチックパーツ４６が共通軸から離れ去るように動くので、当該プラスチックパーツ４６は、シャフト部３４、３４’および摩擦点表面１７を押す。多数の爪部４４のカム運動および歯ブラシ１２の上方への力の作用によって、サイドフラップ部１４、１６が開いた状態まで開くので、シャフト部３４、３４’は、ホルダ装置１０の垂直軸面から離れ去るように動くことになる。
【００３１】
したがって、ホルダ装置１０をもし手で開いたならば、その後のホルダ装置１０の閉じや開きは、歯ブラシ１２を配置ないし挿入したり、除去したりすることによって達成されることになる。サイドフラップ部１４、１６の開閉は、スナップ開閉システムを提供する多数の爪部４４に対するサイドフラップ部１４、１６のカム運動によって助長ないし援助される。
【００３２】
なお、本発明を歯ブラシ１２用のホルダ装置１０に適用した実施形態について上述したが、実施形態において説明した原理は、フォーク、スプーン、ナイフ、はさみなどのような他の家庭用品のためのホルダ装置１０を設計するために使用することができ、そのような場合、害虫から保護すべき家庭用品の一部分がホルダ装置１０内に封入される。
【００３３】
ホルダ装置１０のサイズや形状は、家庭用品の異なるタイプやサイズに適合させるために、適宜改変することができる。例えば、実施形態のホルダ装置１０では一対のシャフト部３４、３４’を設けているが、本発明はこの場合に限定されるものではなく、保持する把持自在な延伸メンバの形状などに合わせて、対向する位置にシャフト部の他の対をも含めることができる。
【００３４】
本実施形態では、ホルダ装置１０は堅固なプラスチック材料から形成してあるが、この場合に限定されるものではなく、ホルダ装置１０の材料はまた、他のいかなる種類の公知の硬質材料に置き換えることができる。
【００３５】
【発明の効果】
以上説明したように、本発明によれば、歯ブラシ、フォーク、ナイフおよびスプーンのような把持自在な延伸メンバの一部分を保護して衛生状態を維持することができ、しかも、延伸メンバの出し入れに連動してサイドフラップ部が開閉する利便性に優れたホルダ装置を提供できる。
【図面の簡単な説明】
【図１】  本発明の実施形態に係るホルダ装置を、開いた状態で、歯ブラシと共に示す斜視図である。
【図２】  図１に示されるホルダ装置を、歯ブラシのブラシ部分が収容され閉じられた状態で示す斜視図である。
【図３】  歯ブラシのブラシ部分を取り出すときのホルダ装置を示す斜視図である。
【図４】  両サイドフラップ部および取付ブラケットを示す分解斜視図である。
【図５】  サイドフラップ部の構造を示す分解斜視図である。
【図６】  取付ブラケットの構造を示す分解斜視図である。
【図７】  ホルダ装置を、開いた状態で示す斜視図である。
【符号の説明】
１０…ホルダ装置
１２…歯ブラシ
１４、１６…サイドフラップ部
１９…リブ
２０…取付ブラケット
３０…ベースプレート（ベース）
３２…窓部（破断部）
３４…シャフト部
３６…ベース
３８…側壁
４４…爪部
【図１】
0003920016.tif 000002
【図２】
0003920016.tif 000003
【図３】
0003920016.tif 000004
【図４】
0003920016.tif 000005
【図５】
0003920016.tif 000006
【図６】
0003920016.tif 000007
【図７】
0003920016.tif 000008